(57)【要約】【課題】用紙束にステープル処理を施してから発行する機能を備えた用紙処理装置において、複数部の用紙束を発行する際に発行直前に全用紙束を積載した上で一括して発行する方式を採用した場合に、既積載の用紙束と後続の用紙束との間におけるステープル針同士の干渉による整列不良を有効に防止することができる用紙後処理装置を提供する。【解決手段】用紙束の前端縁にステープルを行うステープラ１１と、ステープルを受けた用紙束を搬送する排紙ローラ対４０と、排紙ローラ対からの用紙束を順次受け入れて保留してから機外に発行する保留装置１５と、を備え、保留装置は、前部に設けた軸を中心として後部を上下動可能に支持され且つ積載面適所に開口部１６ｅを有した積載台１６と、積載台の下方に配置され積載台の上下動作に応じて開口部から相対的に出没するフィン１８ａと、を備えている。【選択図】図２
2008230803.tif 000002
【特許請求の範囲】
【請求項１】
用紙に印刷を行って排紙するプリンタと、該プリンタから順次排紙され積層された用紙束の前端縁にステープルを行うステープラと、ステープルを受けた用紙束を前記前端縁を先頭にして搬送する搬送手段と、該搬送手段により搬送されてくる用紙束を順次受け入れて保留してから機外に発行する保留装置と、これらを制御する制御部と、を備えた用紙処理装置であって、
前記搬送手段は、前記用紙束をニップして回転することにより略水平方向に搬送して前記保留装置に排出する排紙ローラ対を備え、
前記保留装置は、前部に設けた軸を中心として後部を上下動可能に支持され且つ積載面適所に開口部を有した積載台と、該積載台の下方に配置され該積載台の上下動作に応じて前記開口部から相対的に出没するフィンと、を備えていることを特徴とする用紙処理装置。
【請求項２】
前記積載台は積載面側に上面が露出した第１の搬送ベルトを備え、
前記積載台の上方には、該積載台が上方に動作した時に該第１の搬送ベルト上面との間で前記用紙束を挟み込み、該第１の搬送ベルトと協働して該用紙束を機外に発行する第２の搬送ベルトを備えていることを特徴とする請求項１に記載の用紙処理装置。
【請求項３】
前記搬送手段は、前記排紙ローラ対の近接位置に配置されて該用紙束を所要形状に変形させる腰付け部材を備えていることを特徴とする請求項１又は２に記載の用紙処理装置。
【請求項４】
前記搬送手段は、前記排紙ローラ対により搬送されてきた用紙束の浮き上がりを抑えるガイドを備えていることを特徴とする請求項１、２又は３に記載の用紙処理装置。
【請求項５】
前記ステープラは、前記用紙束の前端縁に沿った少なくとも二箇所にステープルを行う構成を備え、
前記保留装置を構成するフィンは、前記積載台の下降時に前記開口部から上方に突出して該積載面との間に段差を形成し、該積載台上に排出されてきた用紙束の下面適所に当接して撓み変形させることにより、当該用紙束のステープル針と、略水平姿勢で排出されてくる後続の用紙束のステープル針とを干渉させないように構成されていることを特徴とする請求項１乃至４の何れか一項に記載の用紙処理装置。
【発明の詳細な説明】
【技術分野】
【０００１】
本発明は、各種用紙に印刷、ステープル処理等を施してから発行する用紙処理装置の改良に関し、特に端縁にステープルされた用紙束を積載台上に順次積層する際に既積載用紙束のステープル針と後続用紙束のステープル針とが干渉して用紙束間の整列性を悪化させる不具合を解消することができる用紙処理装置に関する。
【背景技術】
【０００２】
近年、各種の自治体、企業、学校等々において、証明書、その他の書類（以下、証明書等、という）を発行する手段として自動発行装置が導入され、数多く利用されている。証明書等は、その性質上から必要枚数を過不足なく正確に発行する必要がある。また、証明書等が複数ページの用紙から成る場合には、装置内でプリントされた用紙を順次積層してステープル処理を行ってから機外に発行する処理も自動的になされる。
この種の自動発行装置として、市販の汎用プリンタと、プリンタから出力された印刷済み用紙にステープル処理、或いは契印処理を施すための後処理装置と、これらを制御する制御装置と、を組合せ使用したタイプが知られており、複数の収納棚を有した筐体内に各機器を収納することにより一つの自動発行装置を構成している。
【０００３】
図４は上記の如き自動発行装置の内部構成を示す側部縦断面図である。
自動発行装置１００は、筐体本体１０１と、筐体本体１０１の前面を開閉するために枢支された前扉１０２と、筐体本体１０１内の下部に配置されたプリンタ収納部１０５と、後処理装置等収納部１０６等を備えている。プリンタ収納部１０５内にはプリンタ１１０が収容され、後処理装置等収納部１０６内には後処理装置１１１及び用紙揃え装置１１２が収容されている。前扉１０２に設けた発行口１０３の内部には発行する用紙（束）を一旦保留してから発行する保留装置１１５が配置されている。更に、筐体本体１０１内には制御用ＰＣ（制御部）１２０、筐体本体前面には利用者用タッチパネルディスプレイ１２１が配置され、プリンタ１１０、後処理装置１１１、用紙揃え装置１１２等を制御、操作するように構成されている。
【０００４】
また、プリンタ１１０と用紙揃え装置１１２との間の搬送経路中には、重送、規格外サイズ等の理由によって用紙揃え装置１１２へ移送することができない用紙を収容するリジェクトトレイ１３０と、分岐部１３１に設けた分岐爪１３２と、分岐部１３１の上流側に設けた重送センサ１３３と、が配置されている。
プリンタ１１０の排紙口から上方へ向けて排紙された印刷済み用紙は搬送経路を経て分岐部１３１に達すると、分岐部１３１に設けた分岐爪１３２によって用紙揃え装置１１２及び後処理装置１１１へ向かう経路と、リジェクトトレイ１３０に向かう経路の何れかに仕分けられる。
後処理装置１１１は、ステープラ及び契印装置から構成されており、矢印方向へ進退自在に構成されている。後処理装置１１１は、プリンタ１１０から出力されてきて用紙揃え装置１１２内に必要枚数積載された用紙束（証明書類束）Ｐの一端縁に接近してステープル及び契印処理を行ってから図示の位置に退避する。その後、用紙揃え装置１１２を軸部１１２ａを中心として破線で示すように上方に回動させることにより、ステープル等の後処理を受けた用紙束Ｐは保留装置１１５に移送されて発行口１０３から機外に発行される。
【０００５】
保留装置１１５は、前部に設けた回動軸１１６ａを中心として実線で示す受入れ位置と、破線で示した発行位置との間を回動自在に構成されている積載台１１６と、上方に配置された搬送ベルト（第２の搬送ベルト）１１７と、を備えている。積載台１１６は搬送ベルト（第１の搬送ベルト）１１６ｂを備えており、実線で示した受入れ位置にあるときに後述する排紙ローラ対１４０から排出されてきた用紙束Ｐは停止状態にある第１の搬送ベルト１１６ｂの上面に積載される。積載台１１６が破線で示した発行位置に上昇したときに、その直上に配置された第２の搬送ベルト１１７との間で用紙束を挟み、両ベルト１１６ｂ、１１７のうちの少なくとも一方を駆動することにより用紙束を発行口１０３から機外に発行する。
また、用紙揃え装置１１２が破線位置に上昇して用紙束Ｐを保留装置１１５側へ移送する際には積載台１１６は実線で示す受入れ位置に下降している。用紙揃え装置１２と積載台１１６との間には上下位置関係で配置された排紙ローラ対１４０が配置されており、後処理装置１１１上の用紙束を搬送する搬送手段によって移送されてきた用紙束を排紙ローラ間でニップして受入れ位置にある積載台１１６上に排出して移載する。
【０００６】
ところで、自動発行装置１００の利用者が証明書としての用紙束を複数部希望する場合には、用紙揃え装置１１２から順次移送されてくる用紙束を積載台１１６上に順次積載し、必要部数積載された時点で一括して機外に発行する処理が実施される。しかし、先行して積載台１１６の平坦な上面に積載されている用紙束Ｐの前端縁にはステープルが施されており、ステープル針の一部は紙面よりも上方に突出している。このため、後から同一位置にステープルが施された用紙束が排出されてくる場合には、図５に示すように既積載の用紙束のステープル針と後続の用紙束のステープル針とが衝突し、既堆積用紙束を前方に押出したり、後続の用紙束が後方に退避する等、不整列の原因となる状態に陥りやすかった。特に、後続の用紙束の腰が弱いためにその先端部が垂れ下がった状態で既積載用紙束の上面と接触しつつ排出されてくる場合にはステープル針同士が衝突し易くなる。
【０００７】
特開平１１−２６３４９４号には同一箇所にステープル処理が施された用紙束が排紙トレイ上に順次排出されて積載される場合における紙の損傷等を防止する技術が開示されている。また、特開２００６−００８３７０には、排紙トレイ上に積載された一つの用紙束に打ち込まれたステープル針が後続の用紙束に干渉することを防止するために排紙トレイを排紙方向と直交する水平方向へ往復動させるようにした技術が開示されている。
しかし、何れの従来例においても、上記の如き従来技術の問題点と、この問題点を解決するための構成については一切開示されてない。
【特許文献１】特開平１１−２６３４９４号公報
【特許文献２】特開２００６−００８３７０公報
【発明の開示】
【発明が解決しようとする課題】
【０００８】
本発明は上記に鑑みてなされたものであり、用紙束にステープル処理を施してから発行する機能を備えた用紙処理装置において、複数部の用紙束を発行する際に発行直前に全用紙束を積載した上で一括して発行する方式を採用した場合に従来発生していた不具合、即ち、既積載の用紙束と後続の用紙束との間におけるステープル針同士の干渉による整列不良を有効に防止することができる用紙後処理装置を提供することを目的としている。
【課題を解決するための手段】
【０００９】
上記目的を達成するため、請求項１の発明に係る用紙処理装置は、用紙に印刷を行って排紙するプリンタと、該プリンタから順次排紙され積層された用紙束の前端縁にステープルを行うステープラと、ステープルを受けた用紙束を前記前端縁を先頭にして搬送する搬送手段と、該搬送手段により搬送されてくる用紙束を順次受け入れて保留してから機外に発行する保留装置と、これらを制御する制御部と、を備えた用紙処理装置であって、前記搬送手段は、前記用紙束をニップして回転することにより略水平方向に搬送して前記保留装置に排出する排紙ローラ対を備え、前記保留装置は、前部に設けた軸を中心として後部を上下動可能に支持され且つ積載面適所に開口部を有した積載台と、該積載台の下方に配置され該積載台の上下動作に応じて前記開口部から相対的に出没するフィンと、を備えていることを特徴とする。
【００１０】
プリンタにより印刷を受けた複数頁の用紙から成る用紙束の適所にステープル針を打ち込む工程を必要回数繰り返すことにより形成した複数部の用紙束を、一旦集積させてから一括して機外に発行するように構成した用紙処理装置においては、発行前に用紙束を保留する保留装置が必要となる。この保留装置においては、積載台上にステープル済みの用紙束を順次排出することとなるが、既積載用紙束に打ち込まれたステープル針は用紙束の上下面から突出しているため、この用紙束の上面に後続用紙束の先端部が垂れ下がった状態で且つ接触しつつ排出されてくる場合には、両用紙束に打ち込まれたステープル針同士が衝突、干渉して用紙束の整列性を乱す虞がある。そこで、本発明では、既積載用紙束が堆積台上に着座した際に積載面よりも上方に突出したフィンによって押し上げて変形させることにより、後続の用紙束の排出姿勢と異なった状態とし、その結果両用紙束に打ち込まれたステープル針同士が干渉し難くすることができる。複数部の用紙束の積載が完了した時点で積載台を上昇させることによりフィンが引っ込むため、全用紙束は平坦化した状態となり、この状態で発行されることとなる。
【００１１】
請求項２の発明は、請求項１において、前記積載台は積載面側に上面が露出した第１の搬送ベルトを備え、前記積載台の上方には、該積載台が上方に動作した時に該第１の搬送ベルト上面との間で前記用紙束を挟み込み、該第１の搬送ベルトと協働して該用紙束を機外に発行する第２の搬送ベルトを備えていることを特徴とする。
２つの搬送ベルトの協働により複数部の用紙束を一括して機外に発行することが可能となる。
【００１２】
請求項３の発明は、請求項１又は２において、前記搬送手段は、前記排紙ローラ対の近接位置に配置されて該用紙束を所要形状に変形させる腰付け部材を備えていることを特徴とする。
フィンによって既積載用紙束を所要形状に変形させることによって、後続用紙束の排出時の姿勢とは異なった姿勢とすることにより、各用紙束に打ち込まれたステープル針同士の干渉を防止できるが、用紙の材質、吸湿等によって腰が著しく低下している場合にはフィンによる干渉防止効果が低下することもある。そのような場合に備えて排紙ローラ対に腰付け部材を併設して、ニップ時に用紙束を部分的に所要形状に変形させることにより排出時の姿勢を略水平な姿勢（フィン上に積載された既堆積用紙束の姿勢と大幅に異なった姿勢）に保持しつつ、既積載用紙束の上方に達してから落下するようにしている。このため、後続用紙束の前端縁が既堆積用紙束の上面に摺接しながら排紙されるという不具合をなくすることができる。
【００１３】
請求項４の発明は、請求項１、２又は３において、前記搬送手段は、前記排紙ローラ対により搬送されてきた用紙束の浮き上がりを抑えるガイドを備えていることを特徴とする記載の用紙処理装置。
用紙の材質や、腰付け部材の作用により、排紙ローラ対によって排出される際の用紙束の姿勢が上向き過ぎていると、既積載用紙上に正しく積載されなくなる虞がある。そのため、用紙束の排紙経路の上方にガイドを設けた浮き上がりを抑えるようにする。
【００１４】
請求項５の発明は、請求項１乃至４の何れか一項において、前記ステープラは、前記用紙束の前端縁に沿った少なくとも二箇所にステープルを行う構成を備え、前記保留装置を構成するフィンは、前記積載台の下降時に前記開口部から上方に突出して該積載面との間に段差を形成し、該積載台上に排出されてきた用紙束の下面適所に当接して撓み変形させることにより、当該用紙束のステープル針と、略水平姿勢で排出されてくる後続の用紙束のステープル針とを干渉させないように構成されていることを特徴とする。
【発明の効果】
【００１５】
本発明によれば、順次印刷、ステープル綴じを施した複数部の用紙束を一旦保留してから一括して機外に発行するように構成した用紙処理装置において、先行して保留されている用紙束のステープル針に、後続して保留位置に排出されてくる用紙束のステープル針が衝突、干渉することによる用紙束間の整列不良発生を有効に防止することができる。
【発明を実施するための最良の形態】
【００１６】
以下、本発明を添付図面に示した形態例により詳細に説明する。
図１は本発明の一実施形態例に係る用紙処理装置としての証明書等の自動発行装置の内部構成を示す側部縦断面図である。
自動発行装置（用紙処理装置）１は、証明書のように、偽造防止の必要から特殊用紙としての用紙上に所要事項を印刷して発行する装置である。
自動発行装置１は、筐体本体２と、筐体本体２の前面を開閉するために枢支された前扉３と、筐体本体２内の下部に配置されたプリンタ収納部５、後処理装置等収納部６等を備えている。プリンタ収納部５内にはプリンタ１０が収容され、後処理装置等収納部６内には後処理装置１１及び用紙揃え装置１２が収容されている。前扉３に設けた発行口４の内部には発行する用紙（束）を一旦保留してから発行する保留装置１５が配置されている。更に、筐体本体２内には制御用ＰＣ（制御部）２０、筐体本体前面には利用者用タッチパネルディスプレイ２１が配置され、プリンタ１０、後処理装置１１、用紙揃え装置１２等を制御、操作するように構成されている。また、投入された金銭を処理し、釣銭を払い出す機構を備えた図示しない金銭決済部を備えている。
【００１７】
また、プリンタ１０と用紙揃え装置１２との間の搬送経路中には、重送、規格外サイズ等の理由によって用紙揃え装置１２へ移送することができない用紙を収容するリジェクトトレイ３０と、分岐部３１に設けた分岐爪３２と、分岐部３１の上流側に設けた重送センサ３３と、が配置されている。
プリンタ１０の排紙口から上方へ向けて排紙された印刷済み用紙は搬送経路を経て分岐部３１に達すると、分岐部３１に設けた分岐爪３２によって用紙揃え装置１２及び後処理装置１１へ向かう経路と、リジェクトトレイ３０に向かう経路の何れかに仕分けられる。プリンタによる印刷、及びその後の搬送が正常に行われている場合には制御部２０は用紙が用紙揃え装置１２へ搬送されるように分岐爪３２及び搬送機構を制御する。一方、プリンタから出力された用紙をリジェクトすべき場合には制御部２０は用紙がリジェクトトレイ３０へ搬送されるように分岐爪３２及び搬送機構を制御する。
【００１８】
後処理装置１１は、ステープラ及び契印装置から構成されており、矢印方向へ進退自在に構成されている。後処理装置１１は、プリンタ１０から出力されてきて用紙揃え装置１１２内に必要枚数積載された用紙束（証明書類束）Ｐの一端縁（前端縁）に接近してステープル及び契印処理を行ってから図示の位置に退避する。その後、用紙揃え装置１２を軸部１２ａを中心として破線で示すように上方に回動させることにより、ステープル等の後処理を受けた用紙束Ｐはステープル針を打ち込まれた前端縁を先頭にして保留装置１５に移送されて発行口３から機外に発行される。
この実施形態では、ステープラは、用紙束の前端縁に沿った２箇所にステープル針を打ち込むように構成されている。
【００１９】
保留装置１５は、前部に設けた回動軸１６ａを中心として実線で示す受入れ位置と、破線で示した発行位置との間を回動自在に構成されている積載台１６と、上方に配置された搬送ベルト１７と、を備えている。積載台１６は搬送ベルト１６ｂを備えており、実線で示した受入れ位置にあるときに後述する排紙ローラ対４０から排出されてきた用紙束Ｐは停止状態にある搬送ベルト１６ｂの上面に積載される。積載台１６が破線で示した発行位置に上昇したときに、その直上に配置された搬送ベルト１７との間で用紙束を挟み、両ベルト１６ｂ、１７のうちの少なくとも一方を駆動することにより用紙束を発行口３から機外に発行する。
また、用紙揃え装置１２が破線位置に上昇して用紙束Ｐを保留装置１５側へ移送する際には積載台１６は実線で示す受入れ位置に下降している。用紙揃え装置１２と積載台１６との間には上下位置関係で配置された排紙ローラ対（搬送手段）４０が配置されており、排紙ローラ４０へ向けて押し出されてきた用紙揃え装置１２上の用紙束Ｐを排紙ローラ４０間でニップして受入れ位置にある積載台１６上に排出する。
本実施形態に係る自動発行装置１においては、利用者が証明書としての用紙束を複数部希望する場合には、用紙揃え装置１２から順次移送されてくる用紙束を積載台１６上に順次積載し、必要部数積載された時点で一括して機外に発行する処理が実施される。
【００２０】
図２（ａ）（ｂ）及び（ｃ）は受入れ位置にある保留装置及び排紙ローラ対を斜め前方から見た構成を示す斜視図、前方から見た図、及び側方から見た図である。
図示しないモータからの駆動力によって前部に設けた軸部１６ａを中心として上下方向へ回動する積載台１６は、平坦な上面を有した積載面１６ｃと、搬送方向に延びる２つのスリット１６ｄと、を有し、スリット１６ｄ内には複数のローラによってエンドレスに張設された第１の搬送ベルト１６ｂが配置されている。搬送ベルト１６ｂの上面は積載面１６ｃと平行に配置されており、矢印で示す発行方向へ走行することにより、上側に配置された第２の搬送ベルト１７との協働により積載面１６ｃ上に積載された用紙束を発行口４へ向けて搬送可能に構成されている。
また、積載台１６の中央部にはスリット状の開口部１６ｅが貫通形成されており、積載台１６の直下に設けた固定台１８から上方に突設されたフィン１８ａが開口部１６ｅ内に嵌合している。回動軸１６ａを中心として積載台１６が上下動作する際に、フィン１８ａは開口部１６ｅから積載面１６ｃの上下方向へ相対的に出没するように構成されている。図３（ａ）及び（ｂ）は積載台が上昇することによって積載面からのフィンの突出長が相対的に減少した状態を示した前面図、及び側面図である。
【００２１】
上下動しないフィン１８ａは、積載台１６の下降時に開口部１６ｅから相対的に上方に突出して積載面１６ｃとの間に段差を形成する。この状態で排紙ローラ対４０によって積載面上に排出されてきた用紙束の下面中央部にフィン１８ａは当接して用紙束の両端部を下方へ撓み変形させる。後続の用紙束は、両端部が下方へ撓み変形した既堆積用紙束の上面に順次積載されてゆく。このため、略水平に近い姿勢で積載板上に排出されてくる用紙束に対して既堆積の用紙束は両端部が斜め下方へ垂れ下がった状態にあるため、両用紙束に打ち込まれたステープル針同士が干渉することがなくなる。従って、既積載の用紙束の前端縁に打ち込まれた各ステープル針Ｓの位置が、後続の用紙束のステープル針Ｓと干渉して既堆積の用紙束を前方に押し出したり、後続の用紙束が後方に位置ずれすることがなくなり、順次既堆積用紙束の上に整列性よく堆積して用紙束間の整列性を高めることができる。
なお、用紙の材質や吸湿等によって排紙ローラ対４０から排出されてくる用紙束の姿勢が略水平状態にならない場合もあるが、本発明では既堆積用紙束が堆積台上に着座した際に積載面よりも上方に突出したフィン１８ａによって押し上げて大きく変形させているので、後続の用紙束の排出姿勢とは常に異なった状態となり、その結果両用紙束に打ち込まれたステープル針同士が干渉し難くすることができる。
【００２２】
また、後続して排出されてくる用紙束の腰の弱さに起因してステープル針同士が干渉する虞を完全に解消するために、排紙ローラ対（搬送手段）４０を構成する各ローラ４０ａの側方に各ローラ４０ａよりも大径円板状の腰付け部材４１を同軸状に配置してもよい。ローラ４０ａと一体回転する腰付け部材４１の作用により、排紙ローラ対のニップ部を通過する用紙束は図２（ｃ）に示した如く波形に変形させられて腰を付与される。このため、ニップ部を通過する際には常に略水平な姿勢を維持した状態となり、この水平姿勢を維持しつつ既積載用紙束の上方に達してから下降して積載される。つまり、腰を付与された後続の用紙束は、従来のように既堆積用紙束の上面に横方向からスライドして接触しつつ積載される訳ではない。このため、突出した状態にあるフィン１８ａ上に逆Ｖ字の姿勢で既に積載されている用紙束のステープル針と干渉する虞がなくなる。
なお、腰付け部材４１によって付与された腰によって用紙束が水平姿勢よりも上方に過剰に浮き上がって排出されると、既積載用紙上に正しく積載されなくなる虞がある。そこで、用紙束の排出経路の上方に浮き上がり防止ガイド４２を庇状に張り出させておき、排出されてくる用紙束の浮き上がりを抑えつつ排出をガイドするように構成しても良い。
【００２３】
図２に示したように積載面よりもフィンが相対的に上方に突出した状態での用紙束の積載が完了した時点で、積載台を図１の破線で示す発行位置に上昇させることにより、積載面からのフィンの突出長が相対的に減少して複数の用紙束がほぼ平坦な状態となる（図３）。また、この状態では用紙束群は下面と上面を第１及び第２の搬送ベルト１６ｂ、１７との間で挟持されており、両搬送ベルトを発行方向へ駆動することにより発行口４から一括して利用者に向けて発行することができる。
以上のように本発明によれば、順次印刷、ステープル綴じを施した複数部の用紙束を一旦保留してから一括して機外に発行するように構成した用紙処理装置において、先行して保留されている用紙束のステープル針に、後続して保留位置に排出されてくる用紙束のステープル針が衝突、干渉することによる用紙束間の整列不良発生を有効に防止することができる。
なお、本発明は証明書類に限らず、ステープル処理によって形成した用紙束を複数部保留し、保留完了後に一括して発行することができるあらゆるタイプの用紙処理装置に適用することができる。
【図面の簡単な説明】
【００２４】
【図１】発明の一実施形態例に係る用紙処理装置としての証明書等の自動発行装置の内部構成を示す側部縦断面図である。
【図２】（ａ）（ｂ）及び（ｃ）は受入れ位置にある保留装置及び排紙ローラ対を斜め前方から見た構成を示す斜視図、前方から見た図、及び側方から見た図である。
【図３】（ａ）及び（ｂ）は積載台が上昇することによって積載面からのフィンの突出長が相対的に減少した状態を示した前面図、及び側面図である。
【図４】従来の自動発行装置の内部構成を示す側部縦断面図である。
【図５】従来の自動発行装置の欠点を説明する図である。
【符号の説明】
【００２５】
１…自動発行装置、２…筐体本体、３…前扉、４…発行口、５…プリンタ収納部、６…後処理装置等収納部、１０…プリンタ、１１…後処理装置、１２…用紙揃え装置、１２ａ…軸部、１５…保留装置、１６…積載台、１６ａ…回動軸、１６ｃ…積載面、１６ｄ…スリット、１６ｅ…開口部、１８…固定台、１８ａ…フィン、２０…制御部、２１…タッチパネルディスプレイ、３０…リジェクトトレイ、３１…分岐部、３２…分岐爪、３３…重送センサ、４０…排紙ローラ対（搬送手段）、４１…腰付け部材、４２…ガイド。
【図１】
2008230803.tif 000003
【図２】
2008230803.tif 000004
【図３】
2008230803.tif 000005
【図４】
2008230803.tif 000006
【図５】
2008230803.tif 000007